(57)【要約】【課題】  瞬時に精算が可能であることはいうまでもなく、各種の用途に使用することが可能できわめて便利で使い勝手がよく、携帯にも便利であるばかりか、防犯上も優れた料金支払装置を提供する。【解決手段】  送受信装置２、記録媒体読み取り装置３、前記各装置を制御するための記録部４１を持った制御装置４を組み込んだ無線装置本体１と、前記送受信装置２からの送信と受信をするためのアンテナ７とを有し、少なくとも前記アンテナ７が無線装置本体１と別体に形成されているとともに前記アンテナ７と送受信装置２とを有線または無線手段により互いに接続させた。【選択図】      図１
2007072496.tif 000002
【特許請求の範囲】
【請求項１】
送受信装置、記録媒体読み取り装置、記録部を持った前記各装置を制御するための制御装置を組み込んだ無線装置本体と、前記送受信装置で送信および受信をするためのアンテナとを有し、少なくとも前記アンテナが前記無線装置本体と別体に形成されているとともに前記アンテナと送受信装置とが有線または無線手段により互いに接続されることを特徴とする料金支払装置。
【請求項２】
前記無線装置本体における記録媒体読み取り装置が記録媒体に記録されている情報の書き換え、情報の追加または情報の削除が可能である請求項１記載の料金支払装置。
【請求項３】
前記無線装置本体がカード形式である請求項１または２記載の料金支払装置。
【請求項４】
前記無線装置本体が携帯電話である請求項１，２または３記載の料金支払装置。
【請求項５】
前記記録媒体が接触式または非接触式のカードである請求項１，２，３または４記載の料金支払装置。
【請求項６】
前記無線装置本体を駆動するための電源が前記無線装置本体に取り外し可能に接続されている請求項１，２，３，４または５記載の料金支払装置。
【請求項７】
前記記録媒体読み取り装置における記録媒体の有無を無線装置本体の電源開閉手段とした請求項１，２，３，４，５または６記載の料金支払装置。
【請求項８】
前記無線装置と前記アンテナとが特定の条件で作動する請求項１，２，３，４，５，６または７記載の料金支払装置。
【請求項９】
前記記録媒体読み取り装置によって読み取られる記録媒体の種類に応じて前記送受信装置に用いられる無線の種類を変化させる請求項１，２，３，４，５，６，７または８記載の料金支払装置。
【請求項１０】
前記電源の状態、記録媒体の読み込み状態などの前記送受信装置が正常に作動していることおよび前記送受信装置とアンテナとの送受信状態を確認するための確認装置が無線装置本体、アンテナの何れかに備えられているか、または前記無線装置本体およびアンテナと別体として備えられているとともに、確認装置が無線装置本体およびアンテナと別体に備えられている場合には無線装置本体またはアンテナと確認装置とが有線または無線手段により互いに接続されている請求項１，２，３，４，５，６，７，８または９記載の料金支払装置。
【請求項１１】
前記無線機本体、または確認装置の少なくとも１つが着衣または二輪車の車体に装着可能である請求項１，２，３，４，５，６，７，８，９または１０記載の料金支払装置。
【請求項１２】
前記アンテナが着衣または二輪車のハンドルを含む車体の前部に装着される請求項１，２，３，４，５，６，７，８，９，１０または１１記載の料金支払装置。
【請求項１３】
前記確認装置が着衣または二輪車のハンドルを含む車体の前部に装着される請求項１１または１２記載の料金支払装置。
【請求項１４】
前記アンテナまたは確認装置の少なくとも１つがヘルメットに装着される請求項１，２，３，４，５，６，７，８，９または１０記載の料金支払装置。
【請求項１５】
前記アンテナが円弧状またはリング状である請求項１，２，３，４，５，６，７，８，９，１０，１１，１２，１３，または１４記載の料金支払装置。
【請求項１６】
前記無線機本体が防塵または防水である請求項１，２，３，４，５，６，７，８，９，１０，１１，１２，１３，１４または１５記載の料金支払装置。
【請求項１７】
アンテナ、確認装置または無線装置本体のいずれかに、車両情報や個人情報などを元にしたセキュリティモジュールが配置されており、使用者や使用車両を特定する請求項１，２，３，４，５，６，７，８，９，１０，１１，１２，１３，１４，１５または１６記載の料金支払装置。
【発明の詳細な説明】
【技術分野】
【０００１】  本発明は、例えば各種の用途に利用が可能な料金支払い装置であって、特に、短時間に精算処理をすることができる料金支払い装置に関するものである。
【背景技術】
【０００２】  従来、クレジットカード、鉄道の改札カード、携帯電話など現金の授受を伴わずに料金を支払うことが可能なシステムが使用されており、これらの料金支払いシステムは一々現金を用いて支払う場合のように支払額やお釣りを計算したり現金を数えて授受したりする必要がなく、特に多額の現金を持ち歩く必要が無いなど多くの利点を有している。【０００３】  加えて、例えば高速道路の自動料金収受システム（ＥＴＣ）や鉄道の改札カードやなどのように無接触で、しかも瞬時に料金を支払うことが可能な料金支払いシステムも既に実用化されている。【０００４】  ところが、自動料金収受システム（ＥＴＣ）は一般にアンテナを内蔵した支払装置を車載し、或いは二輪車の場合などは特開２００３−１２３１０７号公報に提示されているようにヘルメットに内蔵するなどのように、別途に専用の支払装置を準備しなければならず経済面でも問題がある。
また、携帯電話や鉄道カード等は内部に情報の送受信を含めて殆ど全てが収容されており携帯に便利で特に携帯電話は通信機能があることから各種の用途に使用することも可能であり、また、鉄道カードなどはカード形式で携帯にも便利である。【０００４】  しかしながら、携帯電話や鉄道カードなどの多くは、発信信号を他人に読み取られるのを防ぐなとの防犯上の観点や遠方から送信された信号に反応しないように読み取り距離を極端に短くしているので携行時に収容しているポケットや定期入れなどから一々、取り出して読み取り機にかざす必要があり、煩わしく、また、瞬時に支払い処理をする必要がある自動料金収受システム（ＥＴＣ）等には使用することが出来ないなど、従来は、それぞれ専用の支払い装置を備える不便さと不経済性とを有していた。
【特許文献１】特開２００３−１２３１０７号公報
【発明の開示】
【発明が解決しようとする課題】
【０００５】  本発明が解決しようとする課題は、瞬時に精算が可能であることはいうまでもなく、各種の用途に応じて使用することが可能できわめて便利で使い勝手がよく、携帯にも便利であるばかりか、防犯上も優れた料金支払装置を提供するものである。
【課題を解決するための手段】
【０００６】  前記課題を解決するため、本発明である料金支払装置は、送受信装置、記録媒体読み取り装置、前記各装置を制御するための記録部を持った制御装置を組み込んだ無線装置本体と、前記送受信装置からの送信と受信をするためのアンテナとを有し、少なくとも前記アンテナが無線装置本体と別体に形成されているとともに前記アンテナと送受信装置とが有線または無線手段により互いに接続されることを特徴とする。【０００７】  また、無線装置本体がカード形式や携帯電話である場合、前記無線装置と前記アンテナとが特定の条件で作動する場合、前記記録媒体読み取り装置によって読み取られる記録媒体の種類に応じて前記送受信装置に用いられる無線の種類を変化させる場合、前記送受信装置が行った送受信を確認するための確認装置が無線装置本体またはアンテナ設置部に備えられている場合には更によい。【０００８】  前記無線装置本体における記録媒体読み取り装置が記録媒体に記録されている情報の書き換え、情報の追加または情報の削除が可能である構成、前記記録媒体が接触式または非接触式のカードである構成、前記無線装置本体を駆動するための電源が前記無線装置本体に取り外し可能に接続されている構成、前記記録媒体読み取り装置における記録媒体の有無を無線装置本体の電源開閉手段とした構成、前記無線装置と前記アンテナとが特定の条件で作動する構成、前記電源の状態、記録媒体の読み込み状態などの前記送受信装置が正常に作動していることおよび前記送受信装置とアンテナとの送受信状態を確認するための確認装置が無線装置本体、アンテナの何れかに備えられているか、または前記無線装置本体およびアンテナと別体として備えられているとともに、確認装置が無線装置本体およびアンテナと別体に備えられている場合には無線装置本体またはアンテナと確認装置とが有線または無線手段により互いに接続されている構成、無線機本体、または確認装置の少なくとも１つが着衣または二輪車の車体に装着可能である構成、前記アンテナが着衣または二輪車のハンドルを含む車体の前部に装着される構成、前記確認装置が着衣または二輪車のハンドルを含む車体の前部に装着される構成、前記アンテナまたは確認装置の少なくとも１つがヘルメットに装着される構成、前記アンテナが円弧状またはリング状である構成、前記無線機本体が防塵または防水である構成であると好ましい。
【発明の効果】
【０００９】  本発明によれば、アンテナと送受信装置本体を別体として有線または無線手段により互いに接続されるように構成したので、所望の送受信装置に併せて所望のアンテナを使用することにより、各種用途の料金支払装置として使用することができ、従来のカードや携帯電話のように無線装置本体を精算時に読取機に近づける必要もない。【０００９】  また、無線装置本体がカード形式や携帯電話である場合には携帯に便利であるとともに、前記無線装置と前記アンテナとが特定の条件で作動する場合には、無線装置と前記アンテナが無線式で瞬時に料金支払が終わるものであっても発信している信号を他人に知られる心配がなく防犯上も有利である。【００１０】  加えて、無線装置が録媒体読み取り装置によって読み取られる記録媒体の種類に応じて前記送受信装置に用いられる無線の種類を変化させる場合には１つの無線装置で各種の用途に使用できるので便利である。【００１１】  更に、前記無線装置本体における記録媒体読み取り装置が記録媒体に記録されている情報の書き換え、情報の追加または情報の削除が可能であることにより、支払い状況の記録や処理をすることができ、前記記録媒体が接触式または非接触式のカードである場合には磁気カード、ＩＣカートどのように従来使用されている或いはこれから使用されるであろう各種のカードを用いることが可能であり、特に、非接触式カードを用いた場合には例えば二輪車のように走行時に振動する場合にもカードの読み取りが確実である。【００１２】  更にまた、無線装置本体を駆動するための電源が前記無線装置本体に取り外し可能に接続されている構成とすることにより異なる電源を相互的に使用可能としたり別途に充電可能にすることもでき、記録媒体読み取り装置における記録媒体の有無を無線装置本体の電源開閉手段とした構成とすれば別途にスイッチ回路を必要とせず、節電効果も期待できる。前記電源の状態、記録媒体の読み込み状態などの前記送受信装置が正常に作動していることおよび前記送受信装置とアンテナとの送受信状態を確認するための確認装置が無線装置本体、アンテナの何れかに備えられているか、または前記無線装置本体およびアンテナと別体として備えられている場合には機能が正常に作動しているか否かかが容易に判別できる。【００１３】  確認装置が無線装置本体およびアンテナと別体に備えられている場合には無線装置本体またはアンテナと確認装置とが有線または無線手段により互いに接続されている場合には無線装置本体およびアンテナに関係なく確認装置を確認し易い箇所に設置できるのでたとえば本発明をＥＴＣに利用した場合などにも安全であり、無線機本体、または確認装置の少なくとも１つが着衣または二輪車の車体に装着可能である構成、前記アンテナが着衣または二輪車のハンドルを含む車体の前部に装着される構成、前記確認装置が着衣または二輪車のハンドルを含む車体の前部に装着される構成、前記アンテナまたは確認装置の少なくとも１つがヘルメットに装着される構成、前記アンテナが円弧状またはリング状である構成であると本発明を二輪車のＥＴＣに用いる場合に確実に実行できるばかりか便利で安全である。
【発明を実施するための最良の形態】
【００１４】  次に、本発明を実施するための最良の形態について説明する。【００１５】  図１は本発明の好ましい実施の形態を示すもので、カード形式の無線装置本体１に少なくとも送受信装置２、記録媒体読み取り装置３、前記各装置を制御するための記録部４１を持った制御装置４が組み込まれているともに、例えばクレジットカードや鉄道カード、ＥＴＣカードなど各種カードである記録媒体５の種類や情報を記録媒体読み取り装置３に送るためのカードの差込口６が備えられている。尚、本実施の形態では特に図示していないが、無線装置本体１には無線装置本体１を駆動するための電源が必要であり、通常の携帯性を考慮した場合には充電式の電池を無線装置本体１に取り外し可能に装着することが好ましいが、たとえば二輪車や四輪車のＥＴＣに本発明を用いた場合には車両に搭載しているバッテリ電源を用いることとができ、この場合にも取り外し可能として必要時だけ接続することもできる。【００１６】  本実施の形態では、記録媒体読み取り装置３はカードの差込口６に各種カードである記録媒体５を差し込む方式であるが、記録媒体５であるカードは接触式であると非接触式であるかは問わないので各種の用途について実施することができるが、互いの端子同士が確実に接触する必要がある接触式に比べて非接触式の場合には多少の距離であれば離れた状態でも読み取り可能であり、たとえば本発明を走行時の振動により接触不良を生じる心配がある二輪車用のＥＴＣに用いる場合にも有効である。もちろん非接触式は端子の接続を必要としないので四輪車用ＥＴＣなど他のシステムにも利用でき、現時点で実際に利用されている鉄道用の非接触カートもそのまま利用できることは言うまでもない。【００１７】  特に、本実施の形態は記録媒体５としてカードを用いたことにより、常時は電源を切った状態としておき、記録媒体読み取り装置３が記録媒体５の情報を読み込んだときに電源が入力される構成としてもよく（図示せず）、この場合には別途にスイッチ回路をもうける必要がないばかりか電源の開閉操作も不要で操作性に優れているとともに無駄な電源の使用がなく節電効果も有している。【００１８】  また、本実施の形態では、アンテナ７がたとえば指輪や二輪車のハンドル、ミラー、ライトリングなどのアンテナ設置部８に備えられており、アンテナ７には制御部を備え（図示せず）、アンテナ７と前記送受信装置２との間には変調或いは複合信号の付加などのような信号を介して送受信が可能な短距離用の無線システム（図示せず）が備えられている。尚、本実施の形態では、アンテナ７をアンテナ設置部８に備えた構成としたが、ハンドル、ミラー、ライトリングなどをそのままのアンテナ７として用いることも可能である（図示せず）。【００１９】  本実施の形態は、前記送受信装置２からの送信信号がアンテナ設置部８に備えられたアンテナ７から発信されるとともに、アンテナ７において受信した信号が送受信装置２に送信される。また、その際に、アンテナ設置部８に備えた送受信装置２が行った送受信を確認するための例えば発光ダイオードなどの表示灯を備えた確認装置１０が作動する。【００２０】  以上の構成を有する本実施の形態を使用するには、例えばＥＴＣカ���ド、鉄道カード、クレジットカードなど使用するのであれば、予め、前記いずれかの記録媒体５をカード差込口６に差し込んで作動状態とした無線装置本体１を例えば衣服のポケットや携行するバックや鞄、二輪車の車体などに配置しておき、アンテナ設置部８あるいはアンテナ７をたとえば鉄道システムに用いる場合には指輪であるアンテナ設置部８を指に、二輪車用のＥＴＣに用いる場合にはハンドル、ミラー、ライトリングなど適宜の位置に装着しておく（図示せず）。【００２１】  記録媒体５が差し込まれると無線装置本体１に電源が送られて（図示せず）、記録媒体読み取り装置３により記録媒体５の種類や記録されている情報が読み取られて制御装置４の記録部４１に記録されるともに、制御装置４が送受信装置２介してそれらの情報を前記アンテナ７に送信する。【００２２】  尚、前述のように、ＥＴＣなどのように走行中に運転に注意を集中する必要から電源の開閉操作を行わないほうがよい場合には記録媒体５を記録媒体読み取り装置３に差し込んだ後に無線装置本体１に電源が送られる方式とする場合が好ましいが、たとえば鉄道や買物のように必要な時に電源の開閉操作が比較的容易に行える場合には無線装置本体１に備えた電源スイッチを操作することとにより更に節電効果と余計な電波や電磁波の発生を防ぐ点で有効であり、特に、アンテナ設置部８が指輪などの場合にはアンテナ設置部８に備えるとたとえばポケットに入れてある無線装置本体１をわざわざ取り出す必要もなく更に操作性がよい（図示せず）。【００２３】  そして、例えば買物、鉄道や施設などの入出ゲートやＥＴＣゲートなどで支払いをするには、アンテナ設置部８に備えたアンテナ７が店舗に設置してある支払機、改札口、ＥＴＣゲートなどに設置されている管理システム１０からの送受信アンテナ１１に近づくと、前記制御装置４の記録部４１に記録されているカードの情報が送受信装置２、アンテナ７および送受信アンテナ１１を介して管理システム１０に瞬時に送信され、管理システム１０において予め登録してある各種の情報と照合して支払い可能であれば、前記送受信アンテナ１１に支払許可信号、ゲート解除信号を送るので、使用者は従来のようにカードをポケットや鞄から取り出す手間が省けるので手間が省けるとともに取り出す時間が不要であるのできわめて迅速に改札の通過が可能になり、混雑の緩和にもなる。特に、鉄道カードのように非接触式のＥＴＣカードをゲートに配置した読み込み部分に触れさせる方式の二輪車用のＥＴＣシステムの欠点を解消して従来の四輪車用のＥＴＣシステムと同様に走行したまま停止することなしにＥＴＣゲートを通過することができる。【００２４】  従来のクレジットカードのようなシステムであれば使用者は使用した分を後で支払請求に対して支払えばよく、より簡単なシステムで実行することができるが、例えば、プリペイド式のカードを用いる場合には、前記記録媒体の読み取り装置５を書き換え可能なものにすればよい。【００２５】  尚、本実施の形態では、アンテナ設置部８に備えた発光ダイオードによる確認装置１０が発光するので送受信装置２が行った送受信を容易に確認することができ、特に異なる発光色のものを備えることにより、作動が正常に行われたかいないかも瞬時に確認することができるので例えば料金が足りなかったり、準備が万全で無かったりした場合などは精算をするなど即時に他の手続きにより料金を支払うことができる。【００２６】  また、本実施の形態では、アンテナ設置部８に備えたアンテナ７が発する或いはアンテナ７が受診する信号に対応するように送受信装置を併せることにより、例えば１種類のクレジットカードやキャシュカードだけを用いてあらゆる種類の支払いを瞬時に行うことも可能であり、更には、無線装置本体１を従来のクレジットカードやキャツシュカード形式としてもよい。一方、たとえば指紋認証装置などを併用して特定の使用媒体にだけ本発明である料金支払装置により支払い可能なように、車両情報や個人情報などを元にしたセキュリティモジュールをアンテナ設置部８や無線装置本体１に予め組み込んでおくことによりたとえば本装置をあらかじめ設定してある契約者以外の者や、他の車両が使用したりすることをきわめて有効に防止することができる（図示せず）。【００２７】  更に、本実施の形態は無線装置本体１とアンテナ７との間に送受信が可能な信号が漏れるだけであり、放射信号を読み取られる心配も少なく、また、アンテナ設置部８も指輪に限らず、例えば洋服の袖先に設けるなど他の部位でもよく、無線式に限る必要もない。
【実施例１】
【００２８】  図２は、アンテナ設置部８として指に嵌める指輪を利用した場合の実施例を示すものであり、指輪本体であるアンテナ設置部８に突起状のアンテナ７とたとえば宝石を模造した発光ダイオード型の表示灯からなる確認装置９が備えられており、アンテナ７には制御部を備え（図示せず）、アンテナ７と前記送受信装置２との間には変調或いは複合信号の付加などのような信号を介して送受信が可能な短距離用の無線システム（図示せず）が備えられている。【００２９】  本実施例によれば、アンテナ７が手の先に装着されることから、きわめて操作性がよく、装着しても違和感がないばかりか装飾的な効果もあり、特に、アンテナ７は装飾的突起として形成できるとともに確認装置９も宝石としての装飾的効果を醸し出す。
【実施例２】
【００３０】  図３は本発明を二輪用の自動料金収受システム（ＥＴＣ）に利用した場合の一実施例を示すものである。尚、無線装置本体１は前記図１に示したものとほぼ同様のものを使用することができるので詳細についての説明は省略する。【００３１】  本実施例では、ライダーの着衣に無線機本体１を装着する。着衣の装着箇所としては具体的にはたとえば上着やズボンのポケット部が好適であるが、係止フックや面ファスナなどを用いることにより好みの部分に装着することもでき、この場合にはタンクバックなどの他の携行品に装着することもできる（図示せず）。【００３２】  このように、無線機本体１をライダーに装着する方式とした本実施例は、カードの抜き忘れや設置した車体の盗難などにきわめて有効に対処でき、特に、車体の殆どが露出している二輪車おいて気兼ねなく降車することもできる。加えて、同一のシステムを利用してたとえばカードを差し替えることにより、あるいは共通のシステムを用いる場合にはそのままで鉄道に乗ったり、買物をしたりすることもできる。【００３３】  また、本実施例では、前記無線機本体１と無線または有線で接続されるアンテナ７がライダーの着衣に装着されている。【００３４】  ここで、アンテナ７が装着される着衣としては上着やベスト、シャツ、ズボンなどがあるが、一般に二輪車を運転中にライダーは前傾姿勢をとることから、走行中にＥＴＣシステムを構成する管理システムと交信するためのアンテナ（図示せず）に対して良好な交信状態を得るために着衣の肩部周辺に配置する場合が好ましい。【００３５】  尚、本実施例では無線機本体１をライダーに装着することとから、ＥＴＣを特定の車両に適用するための確認が困難であり、たとえば、車両のハンドルや前部に前記確認装置９を固定し、そこに車両情報などを元にしたセキュリティモジュールを予め組み込んでおくことにより登録車両の特定が可能である。【００３６】  更に、本実施例では、前記無線装置本体１と無線または有線で接続される確認装置９が着衣の袖部または二輪車のハンドル部分に装着される。この確認装置９は例えば発光ダイオードによる表示灯を備えており、ライダーが乗った二輪車がゲートに近づくと、ゲートまたはゲート手前に配置された管理システムの送受信アンテナから信号が送信される（図示せず）ので着衣などに備えられたアンテナ７を介して各種の必要な情報を管理システムに送信し、照合の後、支払いが有効であればゲートが開く。【００３７】  このとき、ライダーは、支払いが有効であったか否かを例えば発光ダイオードによる確認装置９により視覚により確認することが出来るので、有効ならばそのままゲートが開くので通過すればよく、無効の場合には発光しないかまたは異なる発光色が点灯するので安全に停止して通常の支払いをすることができる。
【実施例３】
【００３８】  図４は本発明を二輪用の自動料金収受システム（ＥＴＣ）に利用した場合の異なる実施例を示すもので、ライダーの着衣に無線機本体１を装着する点については前記図３に示した実施例の場合と同様であるが、アンテナ７がハンドルを含む車体の前部に別体として設けられ、無線機本体１とアンテナ７とが有線または無線により接続されている点が異なる。【００３９】  本実施例では、アンテナ７を車体に取り付けたことにより着衣が身軽になり運転もし易く、アンテナ７を無線式とした場合には無線機本体１とアンテナ７との接続あるいは
切り離し作業が不要であるとともに転倒時にも安全である。また、アンテナ７の部分の電源として車体に搭載した電源バッテリを用いることができるばかりか、アンテナ７部分に車両情報などを元にしたセキュリティモジュールを予め組み込んでおくことにより登録車両の特定が可能である。尚、本実施例においてアンテナ７部分に或いは別に確認装置９を車体に設けてもよい。尚、アンテナ７は棒状のものでも差し支えないが、四輪の車両と異なり転倒の可能性がある二輪車にあっては先の尖ったものは危険な場合もあり、円弧状またはリング状のものが好ましく、電波の送受能力の面でも良好である。
【実施例４】
【００４０】  図５は本発明を二輪車用の自動料金収受システム（ＥＴＣ）に利用した場合の異なる実施例を示すものであり、全体の構成並びに作動については前記図３および図４に示した実施の形態とほぼ同様であるが、無線装置本体１と無線または有線で接続される例えば発光ダイオードによる表示灯を備えた確認装置９をヘルメット１２の前部に設けた点が異なる。【００３９】  本実施例は、ヘルメット１２の前部に表示灯を備えた確認装置９を備えたので前方を向いて走行している状態のままで視界に表示灯を確認することができるので容易且つ確実に確認ができるとともに安全に運転することができる。
【実施例５】
【００４０】  図６は本発明を二輪車用の自動料金収受システム（ＥＴＣ）に利用した場合の更に異なる実施例を示すものであり、全体の構成並びに作動については前記図３乃至５に示した実施の形態とほぼ同様であるが、無線装置本体１を二輪車のシート１３の下部において形成した収納部１４に配置した点が異なる。この無線装置本体１は車体に直接固定してもよく、また、携帯型のものを用いてもよく、電源として車体に搭載しているバッテリ電源または充電式の携帯型のものを用いることもできる。【００４１】  本実例によれば、無線装置本体１を二輪車のシート１３の下部において形成した収納部１４に配置したので、着衣に装着するように着替えるたびに異なる着衣に入れ替える手間が省けるとともに、身軽でもある。【００４２】  更に、シートの下部は二輪車において、最も振動が少ない部分であり、走行時やエンジンによる振動による故障が少なく、更に、通常シートの下部分に形成される収容部は外部から見えない部分なので、無線装置本体１の装着を外部から容易に確認されることがなく、加えて、多くの二輪車ではシートは施錠装置を介して車体に取り付けられていることから防犯上も優れている。【００４３】  尚、無線装置本体１を防塵、防水にすることにより耐久性が保たれる。【００４４】  更に、本実施例では、無線装置本体１と無線または有線により接続されるアンテナ７、更には確認装置９が車体の前部に配置されている。
【実施例６】
【００４５】  図７は前記図３乃至図６に示した実施例に用いることが可能なアンテナ７および確認装置９についての実施例を示すものであり、図７（ａ）は前照灯の上部分のカウルに配置したもの、図７（ｂ）は前照灯を構成するリング状のカバーをアンテナ７としたもの、図７（ｃ）は速度などを表示するメーターのリング状カバーをアンテナ７としたもの、図７（ｄ）はバックミラーをアンテナ７として使用するものであり、これらの場合には既存の部品を利用できるという利点がある。【００４６】  尚、前記二輪車用の自動料金収受システム（ＥＴＣ）に利用した場合の実施例に示した確認装置９はアンテナ７と別体であったが、確認装置９をアンテナ７と同一の部材として或いはアンテナ７の支持体に設けてもよく（図示せず）、これらの場合にはまたは確認装置９の設置が容易である。【００４７】  また、前記二輪車用の自動料金収受システム（ＥＴＣ）に利用した場合の実施例に示した確認装置９は、支払いが有効であったか否かを繁多多段するためのものであったが、更に、電源の状態、記録媒体の読み込み状態などの前記送受信装置が正常に作動していることおよび前記送受信装置とアンテナとの送受信状態を確認するための確認を行うものであれば、事前に支払い装置の重要な箇所の点検が可能であり、不良箇所も具体的にわかるので的確な対応が可能で安心である。【００４８】  以上のように本発明は、各種の料金を瞬時に精算することができるものであり、用途を問わないのできわめて便利である。また、使用する記録媒体の交換も可能であるが、送受信する信号を各種の用途毎の信号に合わせることにより一種類の記録媒体だけで或いは本発明の無線装置本体１を記録媒体そのものとして使用することも可能であり、更に、無線装置本体１として携帯電話を利用することも可能である（図示せず）。尚、前記各実施の形態および実施例は本発明の実施についての一例を示すものであり、本発明が各種の支払い場所で利用することができることはいうまでもない。
【図面の簡単な説明】
【００４９】
【図１】本発明の好ましい実施の形態における概略を示す説明図。
【図２】本発明の第１実施例におけるアンテナを示す説明図。
【図３】本発明の第２実施例を示す説明図。
【図４】本発明の第３実施例を示す説明図。
【図５】本発明の第４実施例を示す説明図。
【図６】本発明の第５実施例を示す説明図。
【図７】本発明のアンテナについての実施例を示す説明図。
【符号の説明】
【００５０】１  無線装置本体、２  送受信装置、３  記録媒体読み取り装置、４  制御装置、７  アンテナ、９  確認装置、１２  ヘルメット、１３  シート、４１  記録部
【図１】
2007072496.tif 000003
【図２】
2007072496.tif 000004
【図３】
2007072496.tif 000005
【図４】
2007072496.tif 000006
【図５】
2007072496.tif 000007
【図６】
2007072496.tif 000008
【図７】
2007072496.tif 000009